(57)【要約】【課題】  画像データの表示機能と緊急災害速報の報知機能とを兼ね備えて機能性を高めた画像表示装置を提供する。【解決手段】  画像表示装置は、各種入力操作を行う操作手段により所定の入力操作が行われると、画像データを表示する表示手段の表示機能と受信した緊急災害速報に基づく災害情報を音声によりユーザに報知する報知手段の報知機能を停止状態とし、ネットワークを介して緊急災害速報を受信する受信手段の受信機能を活性化状態のまま受信待ち状態とし、前記受信待ち状態のときに前記受信手段により前記緊急災害速報を受信すると、前記報知手段の報知機能を活性化状態として災害情報を報知するよう制御する。【選択図】  図３
2010055359.tif 000002
【特許請求の範囲】
【請求項１】
画像データを表示する表示手段と、
各種入力操作を行う操作手段と、
ネットワークを介して緊急災害速報を受信する受信手段と、
前記受信手段により受信した緊急災害速報に基づく災害情報を音声によりユーザに報知する報知手段と、
前記各手段への電源供給を制御することにより当該各手段の機能を活性化状態あるいは停止状態となるように制御するスイッチ制御手段と、
を備え、
前記スイッチ制御手段は、前記操作手段により所定の入力操作が行われると、前記表示手段の表示機能と前記報知手段の報知機能を停止状態とし、前記受信手段の受信機能を活性化状態のまま受信待ち状態とし、
前記受信待ち状態のときに前記受信手段により前記緊急災害速報を受信すると、前記報知手段の報知機能を活性化状態として災害情報を報知するよう制御することを特徴とする画像表示装置。
【請求項２】
音楽データを再生する再生手段を備え、
前記所定の入力操作が音楽のみを再生させるための入力操作である場合には、前記スイッチ制御手段は、前記再生手段の再生機能を活性化状態として音楽データを再生するよう制御することを特徴とする請求項１に記載の画像表示装置。
【請求項３】
前記スイッチ制御手段は、前記操作手段により電源切断の入力操作が行われると、前記表示手段の表示機能と前記報知手段の報知機能を停止状態とし、前記受信手段の受信機能と前記操作手段の操作機能を活性化状態のまま受信待ち状態とし、
前記操作手段により電源供給の入力操作が行われると、前記表示手段の表示機能と前記報知手段の報知機能を活性化状態とし、前記受信手段により前記緊急災害速報を受信すると、前記報知手段により災害情報を報知するよう制御することを特徴とする請求項１に記載の画像表示装置。
【請求項４】
前記報知手段により災害情報を報知するとカウントを開始するタイマを備え、  前記スイッチ制御手段は、前記タイマが所定時間までカウントすると前記表示手段の表示機能と前記報知手段の報知機能を停止状態となるように制御することを特徴とする請求項３に記載の画像表示装置。
【発明の詳細な説明】
【技術分野】
【０００１】
本発明は、デジタル画像データを表示する画像表示装置に関するものであり、特に、気象庁が配信する緊急地震速報等の緊急災害速報を受信してユーザに報知する機能を備えた画像表示装置に関するものである。
【背景技術】
【０００２】
近年、気象庁が提供する緊急地震速報に基づいてユーザの現在位置に応じて予測震度及び到達猶予時間を算出し、報知する緊急地震速報サービスが開発されている。この緊急地震速報サービスでは、気象庁が提供する緊急地震速報の電文データに含まれる震源情報（緯度、経度、深さ、マグニチュード）とサーバに各ユーザの所在位置として事前登録されている対象地点情報（緯度、経度、地盤増幅度）から、対象地点における予測震度と到達猶予時間を直ちに演算し、主要動到達前にユーザに報知を行う仕組みとなっている。
【０００３】
このような緊急地震速報サービスに用いられる報知装置に関する従来例としては、例えば、下記の特許文献１（特開２００８−１１７１６６号公報）に記載されている。この特許文献１に記載されている報知装置は、災害発生時に実施すべき事項を表す報知内容を優先順位に従って報知するように構成されている。
【０００４】
また近年、デジタルカメラや携帯電話で撮影したデジタル静止画像をメモリカードなどから取り込んで写真立てのように表示させたり、スライドショー機能により複数画像を切り替えて表示させたりすることによって、手軽にデジタル写真を日常的に楽しむことができるデジタルフォトフレーム（電子式写真立て）が普及し始めている。
【０００５】
このような電子式写真立てに関する従来例としては、例えば、下記の特許文献２（特開平１０−８３１４６号公報）に記載されている。この特許文献２に記載されている電子式写真立ては、寝室に設置され、就寝時には写真データの表示を自動的に停止し、起床時には写真データの表示を自動的に開始することができるように構成されている。
【特許文献１】特開２００８−１１７１６６号公報（段落［００４２］〜［００４５］、図２）
【特許文献２】特開平１０−８３１４６号公報（段落［００６８］〜［００７０］、図４）
【発明の開示】
【発明が解決しようとする課題】
【０００６】
ところで、従来の緊急地震速報サービスに用いられる報知装置は、専ら地震情報を報知するための専用装置として用いられることが多く、居住スペースとの関係から設置場所が重要視されることがある。このため、ユーザの居住スペースが損なわれないように装置の小型化が要求されたり、居住スペースに適応したデザイン性に優れた装置が求められたりしている。
【０００７】
本願の発明者は上記の問題点を解消すべく種々検討を重ねた結果、デジタルフォトフレームとして用いられる画像表示装置に緊急災害速報を受信してユーザに報知する機能を設けるようになせば、上記の問題点を解消し得ることを想到し本発明を完成するに至ったものである。
【０００８】
すなわち、本発明は、上記の問題点を解消することを課題とし、画像データの表示機能と緊急災害速報の報知機能とを兼ね備えて機能性を高めた画像表示装置を提供することを目的とするものである。
【課題を解決するための手段】
【０００９】
前記課題を解決するために、本願の請求項１に係る発明は、画像データを表示する表示手段（例えば下記実施例では、表示部１１に相当する）と、各種入力操作を行う操作手段（例えば下記実施例では、操作部１２に相当する）と、ネットワークを介して緊急災害速報を受信する受信手段（例えば下記実施例では、データ通信モジュール１７に相当する）と、前記受信手段により受信した緊急災害速報に基づく災害情報を音声によりユーザに報知する報知手段（例えば下記実施例では、音声出力部１８に相当する）と、前記各手段への電源供給を制御することにより当該各手段の機能を活性化状態あるいは停止状態となるように制御するスイッチ制御手段（例えば下記実施例では、電源制御部１６および制御部１９に相当する）と、を備え、前記スイッチ制御手段は、前記操作手段により所定の入力操作が行われると、前記表示手段の表示機能と前記報知手段の報知機能を停止状態とし、前記受信手段の受信機能を活性化状態のまま受信待ち状態とし、前記受信待ち状態のときに前記受信手段により前記緊急災害速報を受信すると、前記報知手段の報知機能を活性化状態として災害情報を報知するよう制御することを特徴とする。
【００１０】
また、本願の請求項２に係る発明は、請求項１に係る画像表示装置において、音楽データを再生する再生手段（例えば下記実施例では、音声出力部１８および制御部１９に相当する）を備え、前記所定の入力操作が音楽のみを再生させるための入力操作である場合には、前記スイッチ制御手段は、前記再生手段の再生機能を活性化状態として音楽データを再生するよう制御することを特徴とする。
【００１１】
また、本願の請求項３に係る発明は、請求項１に係る画像表示装置において、前記スイッチ制御手段は、前記操作手段により電源切断の入力操作が行われると、前記表示手段の表示機能と前記報知手段の報知機能を停止状態とし、前記受信手段の受信機能と前記操作手段の操作機能を活性化状態のまま受信待ち状態とし、前記操作手段により電源供給の入力操作が行われると、前記表示手段の表示機能と前記報知手段の報知機能を活性化状態とし、前記受信手段により前記緊急災害速報を受信すると、前記報知手段により災害情報を報知するよう制御することを特徴とする。
【００１２】
また、本願の請求項４に係る発明は、請求項３に係る画像表示装置において、前記報知手段により災害情報を報知するとカウントを開始するタイマを備え、前記スイッチ制御手段は、前記タイマが所定時間までカウントすると前記表示手段の表示機能と前記報知手段の報知機能を停止状態となるように制御することを特徴とする。
【発明の効果】
【００１３】
請求項１に係る発明においては、画像表示装置は、各種入力操作を行う操作手段により所定の入力操作が行われると、画像データを表示する表示手段の表示機能と受信した緊急災害速報に基づく災害情報を音声によりユーザに報知する報知手段の報知機能を停止状態とし、ネットワークを介して緊急災害速報を受信する受信手段の受信機能を活性化状態のまま受信待ち状態とし、前記受信待ち状態のときに前記受信手段により前記緊急災害速報を受信すると、前記報知手段の報知機能を活性化状態として災害情報を報知するよう制御する。
【００１４】
このような構成によれば、画像表示装置のデジタルフォトフレームとして表示機能を停止状態にしても緊急災害速報を受信できる受信待ち状態に保つことができるため、画像表示機能を備えた災害情報報知装置としても利用することができるので、ユーザにとっての利便性が向上する。
【００１５】
また、請求項２に係る発明のおいては、請求項１に係る画像表示装置において、音楽データを再生する再生手段を設け、この再生手段の再生機能を活性化状態として音楽データを再生するよう制御する。
【００１６】
このような構成によれば、画像表示装置のデジタルフォトフレームとして表示機能を停止状態にしても音楽を聴きながら緊急災害速報を受信できる受信待ち状態に保つことができるため、画像表示機能を備えた災害情報報知装置とともに音楽再生装置としても利用することができるので、ユーザにとっての利便性が向上する。
【００１７】
また、請求項３に係る発明のおいては、請求項１に係る画像表示装置において、前記操作手段により電源切断の入力操作が行われると、前記表示手段の表示機能と前記報知手段の報知機能を停止状態とし、前記受信手段の受信機能と前記操作手段の操作機能を活性化状態のまま受信待ち状態とし、前記操作手段により電源供給の入力操作が行われると、前記表示手段の表示機能と前記報知手段の報知機能を活性化状態とし、前記受信手段により前記緊急災害速報を受信すると、前記報知手段により災害情報を報知するよう制御する。
【００１８】
このような構成によれば、画像表示装置のデジタルフォトフレームとして表示機能を停止状態にしても緊急災害速報を受信できる受信待ち状態に保つことができるため、画像表示機能を備えた災害情報報知装置としても利用することができるので、ユーザにとっての利便性が向上する。
【００１９】
また、請求項４に係る発明のおいては、請求項３に係る画像表示装置において、前記報知手段により災害情報を報知するとカウントを開始するタイマを備え、前記タイマが所定時間までカウントすると前記表示手段の表示機能と前記報知手段の報知機能を停止状態となるように制御する。
【００２０】
このような構成によれば、タイマが所定時間までカウントすると自動的に表示手段の表示機能と報知手段の報知機能を停止状態とするため、画像表示装置のデジタルフォトフレームとして表示機能を停止状態にしても緊急災害速報を受信できる受信待ち状態に保つことができるとともに、ユーザが操作することなく不要な電力消費を回避することができるので、ユーザにとっての利便性がさらに向上する。
【発明を実施するための最良の形態】
【００２１】
以下、本発明の具体例を実施例及び図面を用いて詳細に説明する。但し、以下に示す実施例は、本発明の技術思想を具体化するためのデジタルフォトフレームを例示するものであって、本発明をこのデジタルフォトフレームに特定することを意図するものではなく、特許請求の範囲に含まれるその他の実施形態の画像表示装置にも等しく適用し得るものである。
【実施例】
【００２２】
図１は、本発明の実施例に係るデジタルフォトフレームの一例を示す斜視図、図２は、図１におけるデジタルフォトフレームの背面図、図３は、本発明の実施例に係るデジタルフォトフレームの構成を示すブロック図である。
【００２３】
本実施例に係るデジタルフォトフレーム１０は、図１で示すように、矩形で扁平状の筐体の前面に設けられた表示部１１と、筐体の背面中央に設けられたスタンド２０とからなる。そして、筐体前面の下隅には、電源スイッチ２１が設けられている。
【００２４】
また、図２で示すように、デジタルフォトフレーム１０の背面には、縦置き／横置きの調整が可能なスタンド２０の他に、上方左右両側にステレオスピーカー２２−１，２２−２と、下方右側にＤＣ電源端子２３、ＳＤカード／メモリースティック用スロット２４、ＵＳＢメモリ端子２５と、下方左側に音量ダイヤル２６、ヘッドホン端子２７、中央左側に操作部１２が設けられている。なお、本実施例では、電源スイッチ２１をデジタルフォトフレーム１０の前面側に設けているが、背面側の操作部１２に設けてもよい。
【００２５】
さらに、デジタルフォトフレーム１０は、図３に示すように、表示部１１、操作部１２、内蔵メモリ１３、外部メモリインターフェース１４、フォトセンサー１５、電源制御部１６、データ通信モジュール１７、音声出力部１８、制御部１９などを備えて構成されている。なお、表示部１１は本発明の表示手段に相当し、操作部１２は本発明の操作手段に相当し、データ通信モジュール１７は本発明の受信手段に相当し、音声出力部１８は本発明の報知手段に相当し、電源制御部１６および制御部１９は本発明のスイッチ制御手段に相当に相当し、音声出力部１８および制御部１９は本発明の再生手段に相当する。
【００２６】
表示部１１は、デジタルフォトフレーム１０の前面側に設けられた液晶ディスプレイから構成されるＬＣＤモジュール１１−１と、その裏面に設けられたＬＥＤ１１−２およびＬＥＤバックライトコントローラ１１−３とから構成され、制御部１９の制御により、メモリカードなどから読み出したデジタル画像データ（例えば、ＪＰＥＧファイル）がＬＣＤモジュール１１−１に再生表示される。
【００２７】
操作部１２は、デジタルフォトフレーム１０の背面側に設けられた複数の操作ボタン１２−１と、これらの操作ボタンにユーザが接触したことを検知するためのセンサ１２−２と、から構成される。ここで、ユーザがこれらの操作ボタンに接触したことを検知するためのセンサには、例えば、静電容量式あるいは感圧式のタッチセンサなどを用いることができる。
【００２８】
また、複数の操作ボタンは、具体的には、図２で示すように、表示部１１にメニュー画面を表示させるためのメニューボタン、画像データや音楽データの再生停止を行ったりデータ削除を行ったりするための停止／削除ボタン、表示部１１の表示駆動を停止させて緊急地震速報の受信待ち受け状態にするための待受モードボタン、設定項目を選んだり画像や音楽のデータを切り換えるために次のデータを再生したりするための次へボタン、設定項目を選んだり１つ前のデータを再生したりするための前へボタン、設定項目を選んだり画像データを回転させたりするための回転ボタン、設定項目を選んだり表示部１１の明るさを調節したりするための明るさボタン、画像データや音楽データの再生を行ったり選択した設定を確定させたりするための再生／決定ボタンなどから構成されている。
【００２９】
内蔵メモリ１３は、後述する制御部１９がプログラム実行中に一時的に保持する必要の生じたデータが保存されるワーク用メモリであるＳＤＲＡＭ１３−１や、メモリカードなどから読み出された音楽データ（例えば、ＭＰ３形式の音楽ファイル）が保存されるユーザ領域などからなるＮＡＮＤ型フラッシュメモリ１３−２などから構成されている。音楽データは、後述するように、ＳＤメモリカードなどの可搬型記憶媒体からコピーすることによって得てもよいし、ＷＬＡＮを介して所定のサーバからダウンロードすることによって得てもよい。
【００３０】
外部メモリインターフェース１４は、ＳＤメモリカードやメモリースティックを差し込むためのスロット２４を備え、差し込まれたメモリカードの読み書きを行うＳＤアダプタ１４−１、差し込まれたメモリースティックの読み書きを行うＭＳアダプタ１４−２や、ＵＳＢメモリを差し込むためのポート２５を備えたＵＳＢコネクタ１４−３などから構成されている。
【００３１】
フォトセンサー１５は、表示部１１の輝度や明るさを自動調節するために周囲の明るさを検知するためのものであり、検知された制御信号は制御部１９へ出力される。このフォトセンサー１５は、デジタルフォトフレーム１０の前面側に設けることがより望ましい。
【００３２】
電源制御部１６は、デジタルフォトフレーム１０内の各部に対して電力の供給を行う。本実施例の電源制御部１６は、後述するように、各部に対する電源供給を制御することにより各部の機能を活性化状態あるいは停止状態にすることが可能である。このように部分的に電源供給を行うことによって必要な部分のみを駆動させて不要な電力消費を抑えることができる。なお、供給される電力は、電源端子２３に接続された電源アダプタを介して外部電源から得るようにしてもよく、あるいはデジタルフォトフレーム１０内に設けた充電地（図示せず）などから得るようにしてもよい。
【００３３】
データ通信モジュール１７は、無線通信でデータの送受信を行うＷＬＡＮモジュール１７−１や、赤外線を利用して近距離データ通信を行うＳＩＲ（Ｓｅｒｉａｌ  ＩｒＤＡ）モジュール１７−２などから構成されている。ＷＬＡＮモジュール１７−１は、ＷＬＡＮポート（図示せず）を介してインターネット網と接続されており、地震速報配信サーバから配信される緊急地震速報の受信を行う。
【００３４】
音声出力部１８は、メモリカードなどから読み出された音楽データを再生して出力するために、Ｄ／Ａコンバータ（ＤＡＣ）、アンプ、スピーカー２２−１，２２−２などから構成されている。また、本実施例の音声出力部１８は、地震速報サーバから受信した緊急地震速報に基づく地震情報を音声信号に変換してスピーカー２２−１，２２−２から出力させる。さらに、音声出力部１８は、図３で示すように、音量を調節するための音量ダイヤル２６やヘッドホンを接続するためのヘッドホン端子２７を備えている。
【００３５】
制御部１９は、マイクロプロセッサを主たる構成要素とし、一般的なコンピュータ装置と同様に各種クロックパルスを生成して、ＮＡＮＤ型フラッシュメモリ１３−２に格納されている制御プログラムに基づき各部動作を制御する。また、ＳＤＲＡＭ１３−１には、プログラム実行中に一時的に保持する必要の生じたデータを保存する。
【００３６】
また、制御部１９は、操作部１２からの操作入力に応じてスロット２４に差し込まれたＳＤメモリカードやメモリースティックに画像データとして記録されているＪＰＥＧ形式の画像ファイル（ＪＰＥＧファイル）をＮＡＮＤ型フラッシュメモリ１３−２のユーザ領域へコピーして保存したり、ＳＤメモリカードなどの画像データやＮＡＮＤ型フラッシュメモリ１３−２に保存されている画像データを表示部１１にスライドショー再生させたりする。
【００３７】
さらに、制御部１９は、操作部１２からの操作入力に応じてスロット２４に差し込まれたＳＤメモリカードやメモリースティックに音楽データとして記録されているＭＰ３形式の音楽ファイル（ＭＰ３ファイル）をＮＡＮＤ型フラッシュメモリ１３−２のユーザ領域へコピーして保存したり、ＳＤメモリカードなどの音楽データやＮＡＮＤ型フラッシュメモリ１３−２に保存されている音楽データを再生させて音声出力部１８から出力させたりする。
【００３８】
ここで、操作部１２の特定のキーとして待受モードボタンが押下されると、制御部１９は、表示部１１が画像データを表示している状態では画像データの再生を停止させてから表示部１１の表示駆動を停止させ、あるいは表示部１１が画像データを表示していない状態では直ちに表示部１１の表示駆動を停止させるとともに、操作部１２とＷＬＡＮモジュール１７−１を除くその他の部分の駆動も停止させ、ＷＬＡＮモジュール１７−１による緊急地震速報の受信待ち状態になるように制御する。
【００３９】
このとき、電源制御部１６が操作部１２およびＷＬＡＮモジュール１７−１に対してのみ電源供給されるよう制御することによって、操作部１２のキー操作機能とＷＬＡＮモジュール１７−１の受信機能が活性化状態に保たれ、表示部１１の表示機能や音声出力部１８の報知機能などのその他の機能が停止状態になっている。
【００４０】
そして、制御部１９は、この緊急地震速報の受信待ち状態においてＷＬＡＮモジュール１７−１の受信信号の監視動作と操作部１２からのキー入力の監視動作とを行い、ＷＬＡＮモジュール１７−１により緊急地震速報を受信した際には、音声出力部１８を駆動させて緊急地震情報として、例えば、ブザー音による警告音や揺れ（主要動）の到達予想時刻情報などを報知するように制御する。このとき、電源制御部１６が音声出力部１８に対しても電源供給されるよう制御することによって、音声出力部１８の報知機能が活性化状態になっている。
【００４１】
さらに、制御部１９は、音声出力部１８による緊急地震情報の報知が終わると、音声出力部１８の駆動を停止させ、再びＷＬＡＮモジュール１７−１による緊急地震速報の受信待ち状態になるように制御する。このとき、電源制御部１６が操作部１２およびＷＬＡＮモジュール１７−１に対してのみ電源供給されるよう制御することによって、音声出力部１８の報知機能が再び停止状態になっている。
【００４２】
また、操作部１２から所定の操作入力、例えば、操作部１２の画像再生停止ボタンが押下され、音楽データだけ再生させる場合には、制御部１９は、表示部１１の表示駆動を停止させるとともに、操作部１２、ＷＬＡＮモジュール１７−１、および音声出力部１８を除くその他の部分の駆動も停止させ、ＷＬＡＮモジュール１７−１による緊急地震速報の受信待ち状態になるように制御する。
【００４３】
それとともに、制御部１９は、ＮＡＮＤ型フラッシュメモリ１３−２から音楽データを読み込んでＳＤＲＡＭ１３−１に一旦格納した後に、ＳＤＲＡＭ１３−１に格納されている音楽データを再生させ、音声出力部１８のＤ／Ａコンバータ（ＤＡＣ）でアナログに変換してスピーカー２２−１，２２−２から出力させる。
【００４４】
このとき、電源制御部１６が操作部１２、ＷＬＡＮモジュール１７−１、および音声出力部１８に対してのみ電源供給されるよう制御することによって、操作部１２のキー操作機能、ＷＬＡＮモジュール１７−１の受信機能、および音声出力部１８の音楽再生機能が活性化状態に保たれ、表示部１１の表示機能や音声出力部１８の報知機能などのその他の機能が停止状態になっている。
【００４５】
そして、制御部１９は、ＷＬＡＮモジュール１７−１により緊急地震速報を受信した際には、緊急地震情報を報知するときにだけ、音声出力部１８の報知機能が活性化状態になるように駆動させて緊急地震情報を報知するように制御する。また、音楽データの再生が終了した場合には、制御部１９は、音声出力部１８の駆動を停止させ、ＷＬＡＮモジュール１７−１による緊急地震速報の受信待ち状態になるように制御する。このとき、電源制御部１６が操作部１２およびＷＬＡＮモジュール１７−１に対してのみ電源供給されるよう制御することによって、音声出力部１８の音楽再生機能が停止状態になっている。
【００４６】
さらに、制御部１９は、デジタルフォトフレーム１０の電源スイッチ２１から電源オフの入力操作が行われると、操作部１２とＷＬＡＮモジュール１７−１を除くその他の部分の駆動を停止させ、ＷＬＡＮモジュール１７−１による緊急地震速報の受信待ち状態になるように制御する。
【００４７】
このとき、電源制御部１６が操作部１２およびＷＬＡＮモジュール１７−１に対してのみ電源供給されるよう制御することによって、操作部１２のキー操作機能とＷＬＡＮモジュール１７−１の受信機能が活性化状態に保たれ、表示部１１の表示機能や音声出力部１８の報知機能などのその他の機能が停止状態になっている。
【００４８】
そして、制御部１９は、再び電源スイッチ２１から電源オンの入力操作が行われると、表示部１１と音声出力部１８を駆動するように制御する。このとき、電源制御部１６が表示部１１と音声出力部１８に対しても電源供給されるよう制御することによって、表示部１１の表示機能と音声出力部１８の報知機能が活性化状態になる。ここで、音声出力部１８の報知機能が活性化状態になるために要する時間の方が、表示部１１の表示機能が活性化状態になるために要する時間よりも早いため、表示部１１の表示機能が活性化状態になる前に緊急地震速報を受信した場合でも音声出力部１８により緊急地震情報を報知することが可能である。
【００４９】
また、本実施例の制御部１９はタイマ機能を備えており、ＷＬＡＮモジュール１７−１により緊急地震速報を受信し、音声出力部１８により緊急地震情報を報知すると、それと同時にカウントを開始する。そして、所定時間まで再び緊急地震速報を受信することなくカウントすると、再び表示部１１と音声出力部１８の駆動を停止させ、ＷＬＡＮモジュール１７−１による緊急地震速報の受信待ち状態になるように制御する。
【００５０】
ここで、カウントされる所定時間は、最初に緊急地震速報を受信した後にも地震速報の続報が何度かある可能性を考慮し、また、ユーザ不在による電源オフの操作忘れをも考慮して、少なくとも最後の緊急地震速報を受信してから２４時間位であることが好ましい。このように音声出力部１８の報知機能を停止状態から活性化状態まで立ち上げる時間を考慮して、一回の緊急地震速報を報知した後もすぐに音声出力部１８の報知機能を停止状態にせずに所定時間（例えば、２４時間）は活性化状態に保つことにより、緊急地震速報の報知サービスに迅速に対応できるとともに、不要な電力消費を回避することができる。
【００５１】
次に、本実施例に係るデジタルフォトフレームの表示制御方法について説明する。
【００５２】
図４は、本発明の実施例に係るデジタルフォトフレームの動作を示すフローチャートである。なお、図４に示す処理は制御部１９がＮＡＮＤ型フラッシュメモリ１３−２に記憶されている制御プログラムを実行することで実現される。
【００５３】
まずステップＳ４０１において、ユーザがデジタルフォトフレーム１０に対して電源スイッチ２１を押下することにより電源オンの指示を行うと、制御部１９は電源制御部１６を制御することによって各部へ電力が供給される。
【００５４】
そして、ステップＳ４０２において、電源制御部１６が表示部１１に対して電源供給されるよう制御することによって、表示機能が活性化状態になり、次のステップＳ４０３において、ＮＡＮＤ型フラッシュメモリ１３−２に画像データが保存されている場合やスロット２４にＳＤメモリカードやメモリースティックが差し込まれている場合には、制御部１９は、ＮＡＮＤ型フラッシュメモリ１３−２やＳＤメモリカードなどから画像データを順次読み出すことにより画像データの再生を行い、表示部１１に表示させる。
【００５５】
ステップＳ４０４の処理では、制御部１９は、ユーザからデジタルフォトフレーム１０に対して入力操作が行われて表示オフや電源オフなどの指示があるか否か判定し、電源オフの指示があると判断した場合にはステップＳ４０５の処理に進み、表示オフの指示があると判断した場合にはステップＳ４１３の処理に進み、入力操作による指示がない場合にはステップＳ４０３の処理に戻り画像データの表示を継続する。
【００５６】
ステップＳ４０５の処理では、制御部１９は、電源制御部１６を制御することで操作部１２とＷＬＡＮモジュール１７−１を除くその他の部分の駆動を停止させ、操作部１２のキー操作機能とＷＬＡＮモジュール１７−１の受信機能のみが活性化状態に保たれてＷＬＡＮモジュール１７−１による緊急地震速報の受信待ち状態になるように制御する。
【００５７】
そして、ステップＳ４０６において、制御部１９は、ユーザからデジタルフォトフレーム１０に対する電源オンの指示があるか否か判定し、電源オンの指示がない場合には処理を終了し、一方、電源オンの指示がある場合にはステップＳ４０７の処理に進む。
【００５８】
ステップＳ４０７の処理では、制御部１９は、電源制御部１６を制御することで表示部１１と音声出力部１８を駆動させて、表示部１１の表示機能と音声出力部１８の報知機能が活性化状態になるように制御する。その後、ステップＳ４０８の処理では、制御部１９は、ＷＬＡＮモジュール１７−１による緊急地震速報の受信があるか否か判定し、受信がない場合にはステップＳ４１２の処理を経てステップＳ４０８に戻りＷＬＡＮモジュール１７−１による緊急地震速報の受信待ち状態を続け、一方、受信がある場合にはステップＳ４０９の処理に進む。
【００５９】
ステップＳ４０９の処理では、制御部１９は、受信した緊急地震速報に基づく地震情報としてスピーカー２２−１，２２−２からブザー音による警告音や揺れ（主要動）の到達予想時刻情報などの報知を開始し、ステップＳ４１０において、タイマのカウントを開始する。
【００６０】
そして、ステップＳ４１１の処理では、制御部１９は、タイマが所定時間（例えば、２４時間）までカウントしたか否かを判定し、タイマが所定時間までカウントするまでステップＳ４０８の処理に戻り、タイマが所定時間までカウントするとステップＳ４０５の処理に戻る。なお、再び戻ったステップＳ４０８の処理において緊急地震速報を受信した場合には、その後のステップＳ４１０の処理では、制御部１９は、カウントを途中まで行っていたタイマをクリアし、再び最初からカウントを開始させる。
【００６１】
また、再び戻ったステップＳ４０８の処理において緊急地震速報の受信がない場合には、次のステップＳ４１２において、制御部１９は、タイマが所定時間（例えば、２４時間）までカウントしたか否かを判定し、タイマが所定時間までカウントするまでステップＳ４０８の処理に戻り、タイマが所定時間までカウントするとステップＳ４０５の処理に戻る。
【００６２】
一方、ステップＳ４０４において表示オフの指示があると判断した場合には、ステップＳ４１３の処理において、制御部１９は、音楽データの再生指示があるか否か判定し、音楽データの再生指示がない場合（本実施例では、待受モードボタンが押下された場合）にはステップＳ４２１の処理に進み、一方、音楽データの再生指示がある場合（本実施例では、画像再生停止操作が行われて音楽再生開始操作が行われた場合）にはステップＳ４１４処理に進む。なお、既に音楽再生中の場合には、ステップＳ４０４の処理において単に画像再生停止操作を行えばステップＳ４１４の処理へ進むことになる。
【００６３】
ステップＳ４１４の処理では、制御部１９は、電源制御部１６を制御することで操作部１２、ＷＬＡＮモジュール１７−１、および音声出力部１８を除くその他の部分（表示部１１など）の駆動を停止させ、操作部１２のキー操作機能、ＷＬＡＮモジュール１７−１の受信機能、音声出力部１８の音楽再生機能（ＤＡＣやスピーカー２２−１，２２−２など）が活性化状態に保たれる。
【００６４】
この状態において、制御部１９は、ＮＡＮＤ型フラッシュメモリ１３−２から音楽データを読み込んでＳＤＲＡＭ１３−１に一旦格納した後に、ＳＤＲＡＭ１３−１に格納されている音楽データを再生させ、音声出力部１８のＤＡＣでアナログに変換してスピーカー２２−１，２２−２から出力させるとともに、ＷＬＡＮモジュール１７−１による緊急地震速報の受信待ち状態になるように制御する。
【００６５】
そして、ステップＳ４１５の処理では、制御部１９は、において、ＷＬＡＮモジュール１７−１による緊急地震速報の受信があるか否か判定し、受信がある場合にはステップＳ４１６の処理に進み、一方、受信がない場合にはステップＳ４２０の処理に進む。
【００６６】
ステップＳ４１６の処理では、制御部１９は、電源制御部１６を制御することで音声出力部１８を駆動させて、音声出力部１８の報知機能が活性化状態になるように制御し、ステップＳ４１７の処理では、制御部１９は、受信した緊急地震速報に基づく地震情報としてスピーカー２２−１，２２−２からブザー音による警告音や揺れ（主要動）の到達予想時刻情報などを報知する。
【００６７】
その後、ステップＳ４１８において、制御部１９は、再生する音楽データが残っているか否か判定し、再生する音楽データがある場合にはステップＳ４１９の処理に進み、一方、再生する音楽データがない場合にはステップＳ４２５の処理に進む。
【００６８】
ステップＳ４１９の処理では、制御部１９は、電源制御部１６を制御することで操作部１２、ＷＬＡＮモジュール１７−１、および音声出力部１８を除くその他の部分（表示部１１など）の駆動を停止させ、操作部１２のキー操作機能、ＷＬＡＮモジュール１７−１の受信機能、音声出力部１８の音楽再生機能（ＤＡＣやスピーカー２２−１，２２−２など）が活性化状態に保たれる。
【００６９】
そして、ステップＳ４２０の処理において、制御部１９は、ユーザからデジタルフォトフレーム１０に対して入力操作が行われて表示オンの指示があるか否か判定し、表示オンの指示があると判断した場合にはステップＳ４０２の処理に戻り、表示オンの指示がないと判断した場合にはステップＳ４１５の処理に戻り、ＷＬＡＮモジュール１７−１による緊急地震速報の受信待ち状態を継続する。
【００７０】
一方、ステップＳ４１３において音楽データの再生指示がない場合（本実施例では、待受モードボタンが押下された場合）には、ステップＳ４２１の処理において、制御部１９は、電源制御部１６を制御することで操作部１２とＷＬＡＮモジュール１７−１を除くその他の部分（表示部１１や音声出力部１８など）の駆動を停止させ、操作部１２のキー操作機能とＷＬＡＮモジュール１７−１の受信機能が活性化状態に保たれる。
【００７１】
そして、ステップＳ４２２の処理では、制御部１９は、において、ＷＬＡＮモジュール１７−１による緊急地震速報の受信があるか否か判定し、受信がある場合にはステップＳ４２３の処理に進み、一方、受信がない場合にはステップＳ４２６の処理に進む。
【００７２】
ステップＳ４２３の処理では、制御部１９は、電源制御部１６を制御することで音声出力部１８を駆動させて、音声出力部１８の報知機能が活性化状態になるように制御し、ステップＳ４２４の処理では、制御部１９は、受信した緊急地震速報に基づく地震情報としてスピーカー２２−１，２２−２からブザー音による警告音や揺れ（主要動）の到達予想時刻情報などを報知する。
【００７３】
その後、ステップＳ４２５において、制御部１９は、電源制御部１６を制御することで操作部１２とＷＬＡＮモジュール１７−１を除くその他の部分（表示部１１や音声出力部１８など）の駆動を停止させ、操作部１２のキー操作機能とＷＬＡＮモジュール１７−１の受信機能が活性化状態に保たれる。
【００７４】
そして、ステップＳ４２６の処理において、制御部１９は、ユーザからデジタルフォトフレーム１０に対して入力操作が行われて表示オンの指示があるか否か判定し、表示オンの指示があると判断した場合にはステップＳ４０２の処理に戻り、表示オンの指示がないと判断した場合にはステップＳ４２２の処理に戻り、ＷＬＡＮモジュール１７−１による緊急地震速報の受信待ち状態を継続する。
【００７５】
以上説明したように、本発明に係る画像表示装置によれば、デジタルフォトフレームとして表示機能を停止状態にしても緊急災害速報を受信できる受信待ち状態に保つことができるため、画像表示機能を備えた災害情報報知装置としても利用することができるので、ユーザにとっての利便性に優れた画像表示装置を提供することが可能である。また、ユーザが操作することなく不要な機能を停止状態にするため、不要な電力消費を回避することができるので、ユーザにとっての利便性がさらに向上する。
【図面の簡単な説明】
【００７６】
【図１】本発明の実施例に係るデジタルフォトフレームの一例を示す斜視図である。
【図２】図１におけるデジタルフォトフレームの背面図である。
【図３】本発明の実施例に係るデジタルフォトフレームの構成を示すブロック図である。
【図４】本発明の実施例に係るデジタルフォトフレームの動作を示すフローチャートである。
【符号の説明】
【００７７】
１０・・・・デジタルフォトフレーム
１１・・・・表示部
１１−１・・・・ＬＣＤモジュール
１１−２・・・・ＬＥＤ
１１−３・・・・ＬＥＤバックライトコントローラ
１２・・・・操作部
１２−１・・・・操作ボタン
１２−２・・・・センサ
１３・・・・内蔵メモリ
１３−１・・・・ＳＤＲＡＭ
１３−２・・・・ＮＡＮＤ型フラッシュメモリ
１４・・・・外部メモリインターフェース
１４−１・・・・ＳＤアダプタ
１４−２・・・・ＭＳアダプタ
１４−３・・・・ＵＳＢコネクタ
１５・・・・フォトセンサー
１６・・・・電源制御部
１７・・・・データ通信モジュール
１７−１・・・・ＷＬＡＮモジュール
１７−２・・・・ＳＩＲモジュール
１８・・・・音声出力部
１９・・・・制御部
【図１】
2010055359.tif 000003
【図２】
2010055359.tif 000004
【図３】
2010055359.tif 000005
【図４】
2010055359.tif 000006